【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】
出力される赤色光、緑色光、および青色光に白色光を分割し、光偏光から実質的に独立して入力される赤色光、緑色光、および青色光を再結合するスペクトル選択性の光スプリッタおよび再結合装置であって、
各々が色を選択的に反射および透過する２つの層システムを備え、前記層システムは、少なくとも１つの透明な担体内に埋設され、
層システムの少なくとも１つは、低屈折率の材料の少なくとも１つの層および高屈折率の材料の少なくとも１つの層を含み、低屈折率ＮＬＳが
１．７≦ＮＬＳ≦２．１
であり、
少なくとも１つの透明な担体の屈折率Ｎｋが
１．５２≧Ｎｋ≧１
である、スペクトル選択性の光スプリッタおよび再結合装置。
【請求項２】
ＮＬＳ＝１．８±２％である、請求項１に記載の光スプリッタ。
【請求項３】
低屈折率の材料が、少なくとも２つの材料ｍ１およびｍ２を含む混合材料であり、これらの材料が
Ｎｍ１≧１．０５ＮＬＳ
Ｎｍ２≦０．９５ＮＬＳ
である、請求項１に記載の光スプリッタ。
【請求項４】
高屈折率の材料が、少なくとも酸化物または酸窒化物を実質的に含む、請求項１に記載の光スプリッタ。
【請求項５】
低屈折率の材料が以下の材料、すなわち
ＴｉＯ２、Ｔａ２Ｏ５、Ｎｂ２Ｏ５、ＨｆＯ２、ＺｒＯ２、ＳｉＯｘＮｙ
のうちの少なくとも１つを含み、
低屈折率の材料がＳｉＯ２およびＴｉＯ２を主に含み、その成分比率がＡＳｉＯ２＝（６０±５）％かつＡＴｉＯ２＝（１００％−ＡＳｉＯ２）である、請求項１に記載の光ス
プリッタ。
【請求項６】
低屈折率の材料がＹ２Ｏ３を含む、請求項１に記載の光スプリッタ。
【請求項７】
少なくとも１つの担体の材料の屈折率Ｎｋが
Ｎｋ＝１．４５±２％
である、請求項１に記載の光スプリッタ。
【請求項８】
双方の層システムが前記少なくとも１つの層システムのように実現される、請求項１に記載の光スプリッタ。
【請求項９】
層システムの共通交差線に対して垂直な切断面が少なくともほぼ正方形であると考えられる担体立方体の対角面に沿って、層システムが実質的に埋設される、Ｘ立方体として実現される請求項１に記載の光スプリッタ。
【請求項１０】
層システムの少なくとも１つにおいて反射され、分割によって得られる光の出射表面の少なくとも１つが、この光の出射方向に対して、その基準表面が前記方向との間にゼロから偏向する角度φ、具体的には光スプリッタの製作公差により生じる角度よりも大きな分だけ偏向する角度φをなすように傾斜を付けて配置され、
φ≦５°
である、請求項１に記載の光スプリッタ。
【請求項１１】
少なくとも１つの透明な担体上に、または少なくとも１つの透明な担体内に敷設または埋設されて各々が色を選択的に反射または透過する２つの別個の層システムを備え、それぞれの出力面に出力される赤色光、緑色光、および青色光に白色光を分割し、前記出力面のそれぞれに入力される赤色光、緑色光、および青色光を再結合するスペクトル選択性の光スプリッタおよび再結合装置であって、少なくとも１つの担体が赤色光、緑色光、および青色光の各々についての出射表面を決定する、スペクトル選択性の光スプリッタおよび再結合装置であって、少なくとも１つの出射表面が、そこから出射して層システムの少なくとも１つにおいて反射される光の方向に対して、その基準表面がこの方向との間にゼロから偏向する角度φ、具体的には光スプリッタの製作公差により生じる角度よりも大きな分だけ偏向する角度φをなすように傾斜が付けられ、
φ≦５°
である、スペクトル選択性の光スプリッタおよび再結合装置。
【請求項１２】
層システムの少なくとも１つは、低屈折率の材料の少なくとも１つの層および高屈折率の材料の少なくとも１つの層を含み、低屈折率ＮＬＳが
１．７≦ＮＬＳ≦２．１
であり、
少なくとも１つの透明な担体の屈折率Ｎｋが
１．５２≧Ｎｋ≧１
である、請求項１１に記載の装置。
【請求項１３】
ＮＬＳ＝１．８±２％である、請求項１２に記載の装置。
【請求項１４】
低屈折率の材料が、少なくとも２つの材料ｍ１およびｍ２を含む混合材料であり、これらの材料が
Ｎｍ１≧１．０５ＮＬＳ
および
Ｎｍ２≦０．９５ＮＬＳ
である、請求項１２に記載の装置。
【請求項１５】
高屈折率の材料が、少なくとも酸化物または酸窒化物を実質的に含む、請求項１２に記載の装置。
【請求項１６】
低屈折率の材料が以下の材料、すなわち
ＴｉＯ２、Ｔａ２Ｏ５、Ｎｂ２Ｏ５、ＨｆＯ２、ＺｒＯ２、ＳｉＯｘＮｙ
のうちの少なくとも１つを含み、
低屈折率の材料がＳｉＯ２およびＴｉＯ２を主に含み、その成分比率が
ＡＳｉＯ２＝（６０±５）％
かつ
ＡＴｉＯ２＝（１００％−ＡＳｉＯ２）
である、請求項１２に記載の装置。
【請求項１７】
低屈折率の材料がＹ２Ｏ３を含む、請求項１２に記載の装置。
【請求項１８】
少なくとも１つの担体の材料の屈折率Ｎｋが
Ｎｋ＝１．４５±２％
である、請求項１２に記載の装置。
【請求項１９】
双方の層システムが前記少なくとも１つの層システムのように実現される、請求項１２に記載の装置。
【請求項２０】
層システムの共通交差線に対して垂直な切断面が少なくともほぼ正方形であると考えられる担体立方体の対角面に沿って、層システムが実質的に埋設される、Ｘ立方体として実現される請求項１２に記載の装置。
【請求項２１】
層システムの少なくとも１つにおいて反射され、分割によって得られる光の出射表面の少なくとも１つが、この光の出射方向に対して、その基準表面が前記方向との間にゼロから偏向する角度φ、具体的には光スプリッタの製作公差により生じる角度よりも大きな分だけ偏向する角度φをなすように傾斜を付けて配置され、
φ≦５°
である、請求項１２に記載の装置。
【請求項２２】
Ｘ立方体として実現される、請求項１１に記載の装置。
【請求項２３】
前記出力面に隣接して、前記出力される光のそれぞれに対する反射器を含み、これらの反射器は反射される光の極性を変更し、前記出力面のそれぞれから出力される光は、装置の製造公差により生じる角度よりも大きく０°から偏向する角度で、前記反射器のそれぞれの隣接する表面において反射され、反射器の各々は、反射光弁の構成により形成される、請求項１１に記載の装置。
【請求項２４】
光が反射器において角度φで反射され、
０°＜φ≦５°
であり、この角度は製作公差により生じる角度よりも大きな分だけゼロから偏向する、請求項２３に記載の装置。
【請求項２５】
指定された角度における光反射が、１つよりも多くの反射器において生じる、請求項２３に記載の装置。
【請求項２６】
分割されるべき光のための光スプリッタの入射表面が、偏光ビームスプリッタ、および入射表面のための照明光源としてのＨＭＩランプのうちの１つを含む、請求項２３に記載の装置。
【請求項２７】
光を分割および再結合する装置を備える光伝送配置であって、装置は、それぞれの出力面に出力される赤色光、緑色光、および青色光に白色光を分割し、前記出力面のそれぞれに入力される赤色光、緑色光、および青色光を再結合し、前記光伝送配置はさらに、前記出力面に隣接して、前記出力される光のそれぞれに対する反射器を備え、これらの反射器は反射される光の極性を変更し、前記出力面のそれぞれから出力される光は、配置の製造公差により生じる角度よりも大きく０°から偏向する角度で、前記反射器のそれぞれの隣接する表面において反射される、配置。
【請求項２８】
光スプリッタはＸ立方体である、請求項２７に記載の配置。
【請求項２９】
反射器の各々は、反射光弁の構成により、好ましくは、各々がＬＣＤの構成により形成される、請求項２７に記載の配置。
【請求項３０】
光が反射器において角度φで反射され、
０°＜φ≦５°
であり、この角度は製作公差によって生じる角度よりも大きな分だけゼロから偏向する、請求項２７に記載の配置。
【請求項３１】
指定された角度における光反射が、１つよりも多くの反射器において生じる、請求項２７に記載の機構。
【請求項３２】
分割されるべき光のための光スプリッタの入射表面が、偏光ビームスプリッタ、および入射表面のための照明光源としてのＨＭＩランプのうちの１つを含む、請求項２７に記載の光伝送配置。
【請求項３３】
層システムの少なくとも１つは、低屈折率の材料の少なくとも１つの層および高屈折率の材料の少なくとも１つの層を含み、低屈折率ＮＬＳが
１．７≦ＮＬＳ≦２．１
であり、
少なくとも１つの透明な担体の屈折率Ｎｋが
１．５２≧Ｎｋ≧１
である、請求項２７に記載の配置。
【請求項３４】
ＮＬＳ＝１．８±２％である、請求項３３に記載の配置。
【請求項３５】
低屈折率の材料が、少なくとも２つの材料ｍ１およびｍ２を含む混合材料であり、これらの材料が
Ｎｍ１≧１．０５ＮＬＳ
および
Ｎｍ２≦０．９５ＮＬＳ
である、請求項３３に記載の配置。
【請求項３６】
高屈折率の材料が、少なくとも酸化物または酸窒化物を実質的に含む、請求項３３に記載の配置。
【請求項３７】
低屈折率の材料が以下の材料、すなわち
ＴｉＯ２、Ｔａ２Ｏ５、Ｎｂ２Ｏ５、ＨｆＯ２、ＺｒＯ２、ＳｉＯｘＮｙ
のうちの少なくとも１つを含み、
低屈折率の材料がＳｉＯ２およびＴｉＯ２を主に含み、その成分比率が
ＡＳｉＯ２＝（６０±５）％
かつ
ＡＴｉＯ２＝（１００％−ＡＳｉＯ２）である、請求項３３に記載の配置。
【請求項３８】
低屈折率の材料がＹ２Ｏ３を含む、請求項３３に記載の配置。
【請求項３９】
少なくとも１つの担体の材料の屈折率Ｎｋが
Ｎｋ＝１．４５±２％
である、請求項３３に記載の配置。
【請求項４０】
双方の層システムが前記少なくとも１つの層システムのように実現される、請求項３３に記載の配置。
【請求項４１】
層システムの共通交差線に対して垂直な切断面が少なくともほぼ正方形であると考えられる担体立方体の対角面に沿って、層システムが実質的に埋設される、Ｘ立方体として実現される請求項３３に記載の配置。
【請求項４２】
層システムの少なくとも１つにおいて反射され、分割によって得られる光の出射表面の少なくとも１つが、この光の出射方向に対して、その基準表面が前記方向との間に、ゼロから偏向する角度φ、具体的には光スプリッタの製作公差により生じる角度よりも大きな分だけ偏向する角度φをなすように傾斜を付けて配置され、
φ≦５°
である、請求項３３に記載の配置。
【請求項４３】
それぞれの出力面に出力される赤色光、緑色光、および青色光に白色光を分割し、前記出力面のそれぞれに入力される赤色光、緑色光、および青色光を再結合するスペクトル選択性の光分割および再結合装置であって、前記スペクトル選択性の光分割および再結合装置は、出力された赤色光、緑色光、および青色光の中央伝搬軸を規定し、前記出力面は、前記それぞれの軸を基準として
φ≦５°
の角度だけ反らせた基準表面を規定する、スペクトル選択性の光分割および再結合装置。
【請求項４４】
各々が色を選択的に反射および透過する少なくとも２つの層システムを含み、前記層システムは、少なくとも１つの透明な担体上に、または少なくとも１つの透明な担体内に敷設または埋設されており、層システムの少なくとも１つは、低屈折率の材料の少なくとも１つの層および高屈折率の材料の少なくとも１つの層を含み、低屈折率ＮＬＳが
１．７≦ＮＬＳ≦２．１
であり、
少なくとも１つの透明な担体の屈折率Ｎｋが
１．５２≧Ｎｋ≧１
である、請求項４３に記載の装置。
【請求項４５】
ＮＬＳ＝１．８±２％である、請求項４４に記載の装置。
【請求項４６】
低屈折率の材料が、少なくとも２つの材料ｍ１およびｍ２を含む混合材料であり、これらの材料が
Ｎｍ１≧１．０５ＮＬＳ
および
Ｎｍ２≦０．９５ＮＬＳ
である、請求項４４に記載の装置。
【請求項４７】
高屈折率の材料が、少なくとも酸化物または酸窒化物を実質的に含む、請求項４４に記載の装置。
【請求項４８】
低屈折率の材料が以下の材料、すなわち
ＴｉＯ２、Ｔａ２Ｏ５、Ｎｂ２Ｏ５、ＨｆＯ２、ＺｒＯ２、ＳｉＯｘＮｙ
のうちの少なくとも１つを含み、
低屈折率の材料がＳｉＯ２およびＴｉＯ２を主に含み、その成分比率が
ＡＳｉＯ２＝（６０±５）％かつＡＴｉＯ２＝（１００％−ＡＳｉＯ２）である、請求項４４に記載の装置。
【請求項４９】
低屈折率の材料がＹ２Ｏ３を含む、請求項４４に記載の装置。
【請求項５０】
少なくとも１つの担体の材料の屈折率Ｎｋが
Ｎｋ＝１．４５±２％
である、請求項４４に記載の装置。
【請求項５１】
双方の層システムが前記少なくとも１つの層システムのように実現される、請求項４４に記載の装置。
【請求項５２】
層システムの共通交差線に対して垂直な切断面が少なくともほぼ正方形であると考えられる担体立方体の対角面に沿って、層システムが実質的に埋設される、Ｘ立方体として実現される請求項４４に記載の装置。
【請求項５３】
層システムの少なくとも１つにおいて反射され、分割によって得られる光の少なくとも１つの出射表面が、この光の出射方向に対して、その基準表面が前記方向との間にゼロから偏向する角度φ、具体的には光スプリッタの製作公差により生じる角度よりも大きな分だけ偏向する角度φをなすように傾斜を付けて配置され、
φ≦５°
である、請求項４３に記載の装置。
【請求項５４】
Ｘ立方体として実現される、請求項４３に記載の装置。
【請求項５５】
前記出力面に隣接して、前記出力される光のそれぞれに対する反射器を含み、これらの反射器は反射される光の極性を変更し、前記出力面のそれぞれから出力される光は、装置の製造公差により生じる分よりも大きく０°から偏向する角度で、前記反射器のそれぞれの隣接する表面において反射され、反射器の各々は、反射光弁の構成により形成される、請求項４３に記載の装置。
【請求項５６】
光が反射器において角度φで反射され、
０°＜φ≦５°
であり、この角度は製作公差により生じる角度よりも大きな分だけゼロから偏向する、請求項５５に記載の装置。
【請求項５７】
指定された角度における光反射が、１つよりも多くの反射器において生じる、請求項５５に記載の装置。
【請求項５８】
分割されるべき光のための光スプリッタの入射表面が、偏光ビームスプリッタおよび入射表面のための照明光源としてのＨＭＩランプのうちの１つを含む、請求項５５に記載の装置。
【請求項５９】
出力される赤色光、緑色光、および青色光に白色光を分割し、光偏光から実質的に独立して入力される赤色光、緑色光、および青色光を再結合するスペクトル選択性の光スプリッタおよび再結合装置を有するＸ立方体を製造するための方法であって、
各々が色を選択的に反射および透過する２つの層システムを設けるステップと、
少なくとも１つの透明の担体内に前記層システムを埋設するステップと、
前記層システムの少なくとも１つ内に、低屈折率の材料の少なくとも１つの層および高屈折率の材料の少なくとも１つの層を設けるステップと、
低屈折ＮＬＳが
１．７≦ＮＬＳ≦２．１
であるように選択するステップと、
少なくとも１つの透明な担体の屈折率Ｎｋが
１．５２≧Ｎｋ≧１
であるように選択するステップとを含む、方法。
【請求項６０】
それぞれの出力面に出力される赤色光、緑色光、および青色光に白色光を分割し、前記出力面のそれぞれに入力される赤色光、緑色光、および青色光を再結合する、スペクトル選択性の光スプリッタおよび再結合装置を製造するための方法であって、
各々が色を選択的に反射または透過する少なくとも２つの別個の層システムを設けるステップと、
少なくとも１つの透明の担体上に、または少なくとも１つの透明の担体内に、前記層システムを埋設または敷設するステップと、
前記少なくとも１つの担体により、赤色光、緑色光、および青色光の各々についての出射表面を決定するステップと、
少なくとも１つの出射表面に傾斜を付け、それにより、そこから出射して層システムの少なくとも１つにおいて反射される光の方向に対して、その基準表面がこの方向との間に、ゼロから偏向する角度ｐ、具体的には光スプリッタの製作公差により生じる角度よりも大きな分だけ偏向する角度ｐをなすようにするステップとを含み、
φ≦５°である、方法。